(57)【要約】【課題】本発明はＩｕインターフェースに並行するＭＢＭＳセッション開始の処理方法及びその装置を提供すること。【解決手段】該方法は、ＲＮＣは、ＳＧＳＮから送信されたＭＢＭＳセッション開始メッセージを受信した後、ＲＮＣに同一のＭＢＭＳ業務の他のセッションが既に確立されたか否かを検出するステップと、上記ＲＮＣに同一のＭＢＭＳ業務の他のセッションが既に確立されていると判定された場合に、上記ＲＮＣは、上記ＭＢＭＳセッション開始メッセージに載せられたＭＢＭＳサービスエリアが上記ＲＮＣと上記ＳＧＳＮとの間に既に確立された他のＭＢＭＳセッションのＭＢＭＳサービスエリアと交叉重複又は重複されるのか、又は上記ＲＮＣと他のＳＧＳＮとの間に既に確立されたＭＢＭＳセッションのＭＢＭＳサービスエリアと交叉重複されるのか否かを検査して、検査結果に基づいてマルチメディアブロードキャスト／マルチキャスト業務のセッション開始の処理操作を行うステップとを含む。【選択図】図４
2010525692.tif 000002
【特許請求の範囲】
【請求項１】
Ｉｕインタフェースに並行するマルチメディアブロードキャスト／マルチキャスト業務のセッション開始の処理方法であって、
無線ネットワークコントローラは、サービングＧＰＲＳサポートノードから送信されたマルチメディアブロードキャスト／マルチキャスト業務のセッション開始メッセージを受信した後、前記無線ネットワークコントローラに同一のマルチメディアブロードキャスト／マルチキャスト業務の他のセッションが既に確立されたか否かを検査するステップと、
前記無線ネットワークコントローラは、前記無線ネットワークコントローラに同一のマルチメディアブロードキャスト／マルチキャスト業務の他のセッションが既に確立されていると判定された場合に、前記マルチメディアブロードキャスト／マルチキャスト業務のセッション開始メッセージに載せられたマルチメディアブロードキャスト／マルチキャスト業務のサービスエリアが前記無線ネットワークコントローラと前記サービングＧＰＲＳサポートノードとの間に既に確立された他のマルチメディアブロードキャスト／マルチキャスト業務セッションのマルチメディアブロードキャスト／マルチキャスト業務のサービスエリアと交叉重複又は重複されるのか、又は前記無線ネットワークコントローラと他のサービングＧＰＲＳサポートノードとの間に既に確立されたマルチメディアブロードキャスト／マルチキャスト業務セッションのマルチメディアブロードキャスト／マルチキャスト業務のサービスエリアと交叉重複されるのか否かを検査して、検査結果に基づいて、マルチメディアブロードキャスト／マルチキャスト業務のセッション開始の処理操作を行うステップと、を含むことを特徴とする処理方法。
【請求項２】
前記無線ネットワークコントローラが、同一のマルチメディアブロードキャスト／マルチキャスト業務の他のセッションが確立されていないと検査された場合に、前記無線ネットワークコントローラはマルチメディアブロードキャスト／マルチキャスト業務のセッション開始のプロセスを処理し、処理結果に基づいて、マルチメディアブロードキャスト／マルチキャスト業務のセッション開始応答メッセージ、又はマルチメディアブロードキャスト／マルチキャスト業務のセッション開始失敗メッセージを前記サービングＧＰＲＳサポートノードに返送するステップを更に含むことを特徴とする請求項１に記載の処理方法。
【請求項３】
前記無線ネットワークコントローラが、同一のマルチメディアブロードキャスト／マルチキャスト業務の他のセッションが確立されていると検査され、また前記検査結果として、前記マルチメディアブロードキャスト／マルチキャスト業務のセッション開始メッセージに載せられたマルチメディアブロードキャスト／マルチキャスト業務のサービスエリアが前記無線ネットワークコントローラと前記サービングＧＰＲＳサポートノードとの間に確立された他のマルチメディアブロードキャスト／マルチキャスト業務セッションのマルチメディアブロードキャスト／マルチキャスト業務のサービスエリアと交叉重複又は重複しなく、且つ、前記無線ネットワークコントローラと他のサービングＧＰＲＳサポートノードとの間に既に確立されたマルチメディアブロードキャスト／マルチキャスト業務セッションのマルチメディアブロードキャスト／マルチキャスト業務のサービスエリアと交叉重複しないことである場合に、前記無線ネットワークコントローラは、前記マルチメディアブロードキャスト／マルチキャスト業務のセッション開始メッセージにおけるマルチメディアブロードキャスト／マルチキャスト業務のサービスエリアが合法であると判定し、前記無線ネットワークコントローラはマルチメディアブロードキャスト／マルチキャスト業務のセッション開始プロセスを処理して、処理結果に基づいて、マルチメディアブロードキャスト／マルチキャスト業務のセッション開始応答メッセージ、又はマルチメディアブロードキャスト／マルチキャスト業務のセッション開始失敗メッセージを前記サービングＧＰＲＳサポートノードに返送することを特徴とする請求項１に記載の処理方法。
【請求項４】
前記無線ネットワークコントローラが、同一のマルチメディアブロードキャスト／マルチキャスト業務の他のセッションが確立されていると検査され、また前記検査結果として、前記マルチメディアブロードキャスト／マルチキャスト業務のセッション開始メッセージに載せられたマルチメディアブロードキャスト／マルチキャスト業務のサービスエリアが前記無線ネットワークコントローラと前記サービングＧＰＲＳサポートノードとの間に確立された他のマルチメディアブロードキャスト／マルチキャスト業務セッションのマルチメディアブロードキャスト／マルチキャスト業務のサービスエリアと交叉重複又は重複され、或いは、前記無線ネットワークコントローラと他のサービングＧＰＲＳサポートノードとの間に確立されたマルチメディアブロードキャスト／マルチキャスト業務セッションのマルチメディアブロードキャスト／マルチキャスト業務のサービスエリアと交叉重複することである場合に、前記無線ネットワークコントローラは、前記マルチメディアブロードキャスト／マルチキャスト業務のセッション開始メッセージにおけるマルチメディアブロードキャスト／マルチキャスト業務のサービスエリアが非合法であると判定し、マルチメディアブロードキャスト／マルチキャスト業務のセッション開始失敗メッセージを前記サービングＧＰＲＳサポートノードに返送することを特徴とする請求項１に記載の処理方法。
【請求項５】
前記マルチメディアブロードキャスト／マルチキャスト業務のサービスエリアの交叉重複とは、異なるマルチメディアブロードキャスト／マルチキャスト業務のサービスエリアに少なくとも一つの同じセルが含まれると共に、少なくとも一つの異なるセルが含まれることであることを特徴とする請求項３又は４に記載の処理方法。
【請求項６】
前記マルチメディアブロードキャスト／マルチキャスト業務のサービスエリアの重複とは、異なるマルチメディアブロードキャスト／マルチキャスト業務のサービスエリアに含まれるセルが完全に同じであることを特徴とする請求項３又は４に記載の処理方法。
【請求項７】
Ｉｕインタフェースにて並行するマルチメディアブロードキャスト／マルチキャスト業務のセッション開始の処理装置であって、
無線ネットワークコントローラがサービングＧＰＲＳサポートノードから始められたマルチメディアブロードキャスト／マルチキャスト業務のセッション開始メッセージを受信した後、無線ネットワークコントローラに同一のマルチメディアブロードキャスト／マルチキャスト業務の他のセッションが既に確立されたか否かを検査するための第１の検査ユニットと、
前記第１の検査ユニットが、無線ネットワークコントローラに同一のマルチメディアブロードキャスト／マルチキャスト業務の他のセッションが既に確立されたと検査された場合に、前記マルチメディアブロードキャスト／マルチキャスト業務のセッション開始メッセージに載せられたマルチメディアブロードキャスト／マルチキャスト業務のサービスエリアが前記無線ネットワークコントローラと前記サービングＧＰＲＳサポートノードとの間に既に確立された他のマルチメディアブロードキャスト／マルチキャスト業務セッションのマルチメディアブロードキャスト／マルチキャスト業務のサービスエリアと交叉重複又は重複するのか、或いは前記無線ネットワークコントローラと他のサービングＧＰＲＳサポートノードとの間に既に確立されたマルチメディアブロードキャスト／マルチキャスト業務セッションのマルチメディアブロードキャスト／マルチキャスト業務のサービスエリアと交叉重複するのかを検査して、検査結果に基づいてマルチメディアブロードキャスト／マルチキャスト業務のセッション開始の処理操作を行うための第２の検査ユニットと、を有することを特徴とする処理装置。
【請求項８】
前記第１の検査ユニットが、無線ネットワークコントローラに同一のマルチメディアブロードキャスト／マルチキャスト業務の他のセッションが確立されていないと検査された場合に、無線ネットワークコントローラはマルチメディアブロードキャスト／マルチキャスト業務のセッション開始プロセスを処理し、処理結果に基づいて、マルチメディアブロードキャスト／マルチキャスト業務のセッション開始応答メッセージ、またはマルチメディアブロードキャスト／マルチキャスト業務のセッション開始失敗メッセージを前記サービングＧＰＲＳサポートノードに返送するための処理応答ユニットを更に有することを特徴とする請求項７に記載の処理装置。
【請求項９】
前記第２の検査ユニットによる検査結果として、前記マルチメディアブロードキャスト／マルチキャスト業務のセッション開始メッセージに載せられたマルチメディアブロードキャスト／マルチキャスト業務のサービスエリアが前記無線ネットワークコントローラと前記のサービングＧＰＲＳサポートノードとの間に既に確立された他のマルチメディアブロードキャスト／マルチキャスト業務セッションのマルチメディアブロードキャスト／マルチキャスト業務のサービスエリアと交叉重複又は重複されていなく、且つ前記無線ネットワークコントローラと他のサービングＧＰＲＳサポートノードとの間に既に確立されたマルチメディアブロードキャスト／マルチキャスト業務セッションのマルチメディアブロードキャスト／マルチキャスト業務のサービスエリアと交叉重複されていないことである場合に、前記マルチメディアブロードキャスト／マルチキャスト業務のセッション開始メッセージにおけるマルチメディアブロードキャスト／マルチキャスト業務のサービスエリアが合法であると判定し、マルチメディアブロードキャスト／マルチキャスト業務のセッション開始プロセスを処理して、処理結果に基づいて、マルチメディアブロードキャスト／マルチキャスト業務のセッション開始応答メッセージ、またはマルチメディアブロードキャスト／マルチキャスト業務のセッション開始失敗メッセージを前記サービングＧＰＲＳサポートノードに返送して、前記第２の検査ユニットによる検査結果として、前記マルチメディアブロードキャスト／マルチキャスト業務のセッション開始メッセージに載せられたマルチメディアブロードキャスト／マルチキャスト業務のサービスエリアが前記無線ネットワークコントローラと前記サービングＧＰＲＳサポートノードとの間に既に確立された他のマルチメディアブロードキャスト／マルチキャスト業務セッションのマルチメディアブロードキャスト／マルチキャスト業務のサービスエリアと交叉重複又は重複することである場合、或いは前記無線ネットワークコントローラと他のサービングＧＰＲＳサポートノードとの間に既に確立されたマルチメディアブロードキャスト／マルチキャスト業務セッションのマルチメディアブロードキャスト／マルチキャスト業務のサービスエリアと交叉重複することである場合に、前記マルチメディアブロードキャスト／マルチキャスト業務のセッション開始メッセージにおけるマルチメディアブロードキャスト／マルチキャスト業務のサービスエリアが非合法であると判定し、マルチメディアブロードキャスト／マルチキャスト業務のセッション開始失敗メッセージを前記サービングＧＰＲＳサポートノードに返送するための判定応答ユニットを更に有することを特徴とする請求項７に記載の処理装置。
【請求項１０】
前記マルチメディアブロードキャスト／マルチキャスト業務のサービスエリアの交叉重複とは、異なるマルチメディアブロードキャスト／マルチキャスト業務のサービスエリアに少なくとも一つの同じセルが含まれると共に、少なくとも一つの異なるセルが含まれることであることを特徴とする請求項９に記載の処理装置。
【請求項１１】
前記マルチメディアブロードキャスト／マルチキャスト業務のサービスエリアの重複とは、異なるマルチメディアブロードキャスト／マルチキャスト業務のサービスエリアに含まれるセルが完全に同じであることを特徴とする請求項９に記載の処理装置。
【発明の詳細な説明】
【技術分野】
【０００１】
本発明は、移動通信分野に係わり、詳しくには、ＣＤＭＡ（符号分割多重接続：Ｃｏｄｅ  Ｄｉｖｉｓｉｏｎ  Ｍｕｌｔｉｐｌｅ  Ａｃｃｅｓｓ）システムにおいて、Ｉｕインタフェースに並行するＭＢＭＳ（マルチメディアブロードキャスト／マルチキャスト業務：Ｍｕｌｉｔｉｍｅｄｉａ  Ｂｒｏａｄｃａｓｔ  Ｍｕｌｔｉｃａｓｔ  Ｓｅｒｖｉｃｅ）業務のセッションの処理方法及びその装置に関するものである。
【背景技術】
【０００２】
移動ネットワーク資源を有効に利用するために、３ＧＰＰ（第３世代バートナーショプ・プロジェクト：Ｔｈｉｒｄ  Ｇｅｎｅｒａｔｉｏｎ  Ｐａｒｔｎｅｒｓｈｉｐ  Ｐｒｏｊｅｃｔ）は、ＭＢＭＳである「移動ネットワークにおいて、一つのデータソースから複数のユーザにデータを送信するポイント・ツー・マルチポイント業務」を提供して、ネットワーク資源の共有を実現し、ネットワーク資源の利用率、特に大切なエアー・インタフェース資源の利用率を向上した。ＭＢＭＳは、ブレーンテキストの低ビットレートのメッセージのマルチキャスト及びブロードキャストを実現することができると共に、高速のマルチメディア業務のマルチキャスト及びブロードキャストを実現することもでき、多種類の多くのビデオ、オーディオ及びマルチメディア業務を提供した。明らかに、これは今後の移動データの発展形勢に適応していて、移動通信の発展に更なる将来性を与えていた。
【０００３】
図１はＭＢＭＳ業務システムの構造を示したモデル図である。図１に示すように、ブロードキャスト／マルチキャスト業務のセンターであるＢＭ−ＳＣ（Ｂｒｏａｄｃａｓｔ−Ｍｕｌｔｉｃａｓｔ  Ｓｅｒｖｉｃｅ  Ｃｅｎｔｒｅ）は、新たに追加された移動ネットワーク機能体であり、コンテンツ供給者の入り口であって、授権及び移動ネットワークでのＭＢＭＳ積載（ｃａｒｒｙ）業務に用いられ、予定のタイムに従って、ＭＢＭＳコンテンツを計画的に伝送する。
【０００４】
既存のＷＣＤＭＡパケットネットワーク機能体であるゲートウェイＧＰＲＳサポートノード（Ｇｅｎｅｒａｌ  Ｐａｃｋｅｔ  Ｒａｄｉｏ  Ｓｅｒｖｉｃｅ  Ｇａｔｅｗａｙ  Ｓｕｐｐｏｒｔ  Ｎｏｄｅ，  ＧＧＳＮ）と、サービングＧＰＲＳサポートノード（Ｓｅｒｖｉｎｇ  Ｇｅｎｅｒａｌ  Ｐａｃｋｅｔ  Ｒａｄｉｏ  Ｓｅｒｖｉｃｅ  Ｓｕｐｐｏｒｔ  Ｎｏｄｅ，  ＳＧＳＮ）と、無線アクセスネットワーク（Ｒａｄｉｏ  Ａｃｃｅｓｓ  Ｎｅｔ，  ＲＡＮ）と、ユーザ装置（Ｕｓｅｒ  Ｅｑｕｉｐｍｅｎｔ，  ＵＥ）についても、ＭＢＭＳに関する機能及びプロセスを追加する必要がある。
【０００５】
ＭＢＭＳはブロードキャスト業務（Ｂｒｏａｄｃａｓｔ  Ｓｅｒｖｉｃｅ）とマルチキャスト業務（Ｍｕｌｔｉｃａｓｔ  Ｓｅｒｖｉｃｅ）とに分けられる。ＭＢＭＳ業務の伝送は、一定の範囲の制限を受けていて、即ち、各ＭＢＭＳ業務は一定の領域にて送信され、この領域がＭＢＭＳ業務に対応する業務エリアと称される。３ＧＰＰ協議によって、ブロードキャスト業務の送信領域はこの業務のブロードキャスト業務エリア（Ｂｒｏａｄｃａｓｔ  ｓｅｒｖｉｃｅ  ａｒｅａ）と定義され、マルチキャスト業務の送信領域はこの業務のマルチキャスト業務エリア（Ｍｕｌｔｉｃａｓｔ  ｓｅｒｖｉｃｅ  ａｒｅａ）と定義された。一部のＭＢＭＳ業務の地域的な特徴、例えば、天気予報、交通路面状況情報等を考えて、送信されるコンテンツはＵＥが位置する地域と関連つけられていて、ＵＥがＭＢＭＳ業務エリアのある特定の地域に位置する場合、該地域と関連するコンテンツのみを受信する必要があって、これにより、同一のＭＢＭＳ業務に対して、異なる地域で異なるコンテンツを送信する必要がある。そのため、３ＧＰＰはブロードキャストとマルチキャストに対し、それぞれローカルブロードキャストエリア（Ｌｏｃａｌ  Ｂｒｏａｄｃａｓｔ  Ａｒｅａ）とローカルマルチキャスト（Ｌｏｃａｌ  Ｍｕｌｔｉｃａｓｔ  Ａｒｅａ）を定義した。
【０００６】
図２は、既存技術におけるＭＢＭＳ業務エリアとローカル業務エリアとの関係を示した図である。図２に示すように、各ＭＢＭＳブロードキャスト業務は一つのブロードキャスト業務エリアを有し、該ブロードキャスト業務エリアには一つ又は複数のローカルブロードキャストエリアが含まれ、一つのローカルブロードキャストエリアでは該地域に関連する業務コンテンツのみを送信し、異なるローカルブロードキャストエリアから送信される業務コンテンツは異なる可能性があって、各ＭＢＭＳマルチキャスト業務は一つのマルチキャストエリアを有し、該マルチキャスト業務エリアには一つ又は複数のローカルマルチキャストエリアが含まれ、一つのローカルマルチキャストエリアでは該地域に関連する業務コンテンツのみを送信し、異なるローカルマルチキャストエリアから送信される業務コンテンツは異なる可能性がある。
【０００７】
ＭＢＭＳ業務データはＭＢＭＳ積載を介して送信され、ＭＢＭＳ積載はＭＢＭＳセッションによって管理され、一つのＭＢＭＳセッションは一つのＭＢＭＳ積載に対応され、各ＭＢＭＳセッションは全て一つのＭＢＭＳサービスエリア（ＭＢＭＳ  Ｓｅｒｖｉｃｅ  Ａｒｅａ，  ＭＢＭＳ  ＳＡ）に対応し、ＭＢＭＳ  ＳＡは一つ又は複数のＭＢＭＳサービスエリアアイデンティティー（ＭＢＭＳ  Ｓｅｒｖｉｃｅ  Ａｒｅａ  Ｉｄｅｎｔｉｔｙ，  ＭＢＭＳ  ＳＡ  ＩＤ）からなり、各ＭＢＭＳサービスエリアアイデンティティーはＲＮＣ（Ｒａｄｉｏ  Ｎｅｔｗｏｒｋ  Ｃｏｎｔｒｏｌｌｅｒ：無線ネットワークコントローラ）における一つ又は複数のセルに対応し、ＭＢＭＳ  ＳＡはＭＢＭＳセッション開始時にＭＢ−ＳＣによってＧＧＳＮとＳＧＳＮを介してＲＮＣに供給され、ＲＮＣはＭＢＭＳセッション開始請求を受信した後、該ＭＢＭＳ業務のサービスエリアに含まれたセルのみで、ＭＢＭＳ業務を提供する。
【０００８】
一つのＭＢＭＳ業務が複数のローカル領域に分けられると、異なる地域から送信される業務コンテンツは異なっていて、業務データを積載するＭＢＭＳ積載も異なるので、ＢＭ−ＳＣは各ローカル領域に対してＭＢＭＳセッションをそれぞれ確立し、即ち、複数の並行するＭＢＭＳセッションを開始し、並行するＭＢＭＳセッションは同じＴＭＧＩ（一時的モバイルグループ識別情報：Ｔｅｍｐｏｒａｒｙ  Ｍｏｂｉｌｅ  Ｇｒｏｕｐ  Ｉｄｅｎｔｉｔｙ）を使用して同一のＭＢＭＳセッションに属することを表記する。同一のローカル領域から送信されるＭＢＭＳ業務のコンテンツは同じである必要があるので、同一のＭＢＭＳ業務であって異なるローカル領域において並行するＭＢＭＳセッションについて、これに対応するＭＢＭＳ  ＳＡが異なっていて、つまり、同一のＭＢＭＳ業務の異なるローカル領域におけるＭＢＭＳセッションに対応するＭＢＭＳ  ＳＡに含まれるセルは交叉重複されではいけなく、さもないと、ＵＥは交叉重複されたセルにおいて複数のローカル領域の業務コンテンツを受信する可能性がある。
【０００９】
図３は既存技術における３ＧＰＰのＩｕインタフェースにおけるＭＢＭＳセッション開始プロセスのフローチャートである。図３に示すように、以下のステップを含む。
【００１０】
ＳＧＳＮは、ＭＢＭＳサービスエリアが含まれた「ＭＢＭＳセッション開始」メッセージをＲＮＣに送信し、ＭＢＭＳ業務に対応するサービスエリアにおいてＭＢＭＳセッションの開始をＵＥに通知するようＲＮＣに要求する（ステップＳ３０２）。
【００１１】
ＲＮＣは、ＭＢＭＳセッション開始」メッセージを受信した後、該ＲＮＣと該ＳＧＳＮとの間に、同一のＭＢＭＳ業務において他のセッションがすでに確立されたか否かを検査する（ステップＳ３０４）。
【００１２】
既に確立された他のセッションが存在すると共に、確立された他のセッションの対応するＭＢＭＳサービスエリアが、該ＳＧＳＮから送信された新規メッセージに載せられたＭＢＭＳサービスエリアと交叉重複されると、メッセージにおけるＭＢＭＳサービスエリアが非合法であると認め、「ＭＢＭＳセッション開始失敗」というメッセージをＳＧＳＮに返送する（ステップＳ３０６）。
【００１３】
既に確立された同一のＭＢＭＳ業務の他のセッションが存在しない、又は既に確立された他のセッションの対応するＭＢＭＳサービスエリアが、該ＳＧＳＮから送信された新規メッサージに載せられたＭＢＭＳサービスエリアと交叉重複しないと、通常のメッセージとして処理を行って、処理結果に基づいて、「ＭＢＭＳセッション開始応答」というメッセージ、又は「ＭＢＭＳセッション開始失敗」というメッセージをＳＧＳＮに返送する（ステップＳ３０８）。
【００１４】
既存協議に従って、確立しようとするＭＢＭＳセッションのＭＢＭＳサービスエリアが同一の業務の既に確立された他のセッションのＭＢＭＳサービスエリアと交叉重複するのか否かは、ＭＢＭＳセッション開始メッセージに載せられたＭＢＭＳサービスエリアと既に確立された他のセッションのＭＢＭＳサービスエリアにおいて、少なくとも一つ又は複数の同じＭＢＭＳサービスエリアのアイデンティティーを有するのか否かを判定することによって検出される。
【００１５】
一つのＭＢＭＳサービスエリアのアイデンティティーはＲＮＣにおける一つ又は複数のセルに対応し、ＲＮＣにおける一つのセルは複数のＭＢＭＳサービスエリアのアイデンティティーにマッピングされることが可能で、既存協議におけるＭＢＭＳ交叉重複検査方法に基づくと、２つの並行するＭＢＭＳセッションのＭＢＭＳサービスエリアが完全に異なるＭＢＭＳサービスエリアのアイデンティティーを含んでいても、それぞれのＭＢＭＳサービスエリアのアイデンティティーの対応するセルは交叉重複される可能性があるので、既存協議における検査方法は精確でない。よって、ＲＮＣでの、交叉重複領域に位置するセルにおけるＵＥが同一のＭＢＭＳ業務の複数組の業務コンテンツを受信することになってしまう問題がある。
【００１６】
この他、同一のＭＢＭＳ業務の並行するＭＢＭＳセッション開始プロセスについて、既存協議は、ＲＮＣと同一のＳＧＳＮとの間に確立された並行するＭＢＭＳセッションのＭＢＭＳサービスエリアのみを検査し、ＲＮＣと異なるＳＧＳＮとの間に確立された並行するＭＢＭＳセッションのＭＢＭＳサービスエリアには検査を行わない。従って、異なるＳＧＳＮからの同一のＭＢＭＳ業務の並行するセッションのＭＢＭＳサービスエリアは交叉重複される可能性があり、ＲＮＣでの、交叉重複領域に位置するセルにおけるＵＥが同一のＭＢＭＳ業務の複数組のコンテンツを受信することになった。
【００１７】
従って、既存協議に存在する課題を解決できる技術的思想の開発が必要となっている。
【発明の開示】
【発明が解決しようとする課題】
【００１８】
本発明は、ＲＮＣでの交叉重複領域に位置するセルにおけるＵＥが同一のＭＢＭＳ業務の複数組のコンテンツを受信する課題を解決することができるＩｕインタフェースに並行するマルチメディアブロードキャスト／マルチキャスト業務のセッション開始の処理方法及びその装置を提供して、既存協議に存在する問題を解決することを目的としている。
【課題を解決するための手段】
【００１９】
本発明の一態様に係るＩｕインタフェースに並行するマルチメディアブロードキャスト／マルチキャスト業務のセッション開始の処理方法は、ＲＮＣは、ＳＧＳＮから送信されたＭＢＭＳセッション開始メッセージを受信した後、ＲＮＣに同一のＭＢＭＳ業務の他のセッションが既に確立されたのか否かを検出するステップと、上記ＲＮＣに同一のＭＢＭＳ業務の他のセッションが既に確立されていると判定された場合に、上記ＲＮＣは、上記ＭＢＭＳセッション開始メッセージに載せられたＭＢＭＳサービスエリアが上記ＲＮＣと上記ＳＧＳＮとの間に既に確立された他のＭＢＭＳセッションのＭＢＭＳサービスエリアと交叉重複又は重複されるのか、又は上記ＲＮＣと他のＳＧＳＮとの間に既に確立されたＭＢＭＳセッションのＭＢＭＳサービスエリアと交叉重複されるのかを検査して、検査結果に基づいて、マルチメディアブロードキャスト／マルチキャスト業務のセッション開始の処理操作を行うステップとを含むことを特徴とする。
【００２０】
また、ＲＮＣに同一のＭＢＭＳ業務の他のセッションが既に確立され、且つこの既に確立された他のセッションがＲＮＣとＭＢＭＳセッション開始メッセージを送信したＳＧＳＮとの間に確立された場合に、ＲＮＣは、ＭＢＭＳセッション開始メッセージに載せられたＭＢＭＳサービスエリアが該既に確立された他のセッションのＭＢＭＳサービスエリアと交叉重複又は重複するのかを検査し、或いはＲＮＣによって同一のＭＢＭＳ業務の他のセッションが既に確立されていて、この既に確立された他のセッションがＲＮＣとＭＢＭＳセッション開始メッセージを送信したＳＧＳＮとの間ではなく、他のＳＧＳＮとの間に確立されたと判定された場合に、ＲＮＣはＭＢＭＳセッション開始メッセージに載せられたＭＢＭＳサービスエリアが該既に確立された他のセッションのＭＢＭＳサービスエリアと交叉重複するのか検査し、検出結果に基づいて、マルチメディアブロードキャスト／マルチキャスト業務のセッション開始の処理操作を行う。
【００２１】
また、ＭＢＭＳセッション開始メッセージに、確立しようとするＭＢＭＳセッションのＭＢＭＳサービスエリアが載せられる。
【００２２】
確立しようとするＭＢＭＳセッションのＭＢＭＳサービスエリアが同一の業務の既に確立された他のセッションのＭＢＭＳサービスエリアと交叉重複されるのかは、既に確立された他のセッションの対応するＭＢＭＳサービスエリアと確立しようとするセッションのＭＢＭＳサービスエリアとに含まれるセルの一部が同じであるか、即ち、２つのＭＢＭＳサービスエリアが少なくとも一つの同一のセルを含むと共に、少なくとも一つの異なるセルを含むのかを判定することによって検査される。
【００２３】
確立しようとするＭＢＭＳセッションのＭＢＭＳサービスエリアが同一業務の既に確立した他のセッションのＭＢＭＳサービスエリアと重複されるのかは、既に確立された他のセッションの対応するＭＢＭＳサービスエリアと確立しようとするセッションのＭＢＭＳサービスエリアとに含まれるセルが完全に同一であるのか、即ち、２つのＭＢＭＳサービスエリアに異なるセルが一つも存在しないのかを判定することによって検査される。
【００２４】
判定結果として、ＲＮＣと同一のＳＧＳＮとの間に確立された他のセッションのＭＢＭＳサービスエリアと交叉重複又は重複する、或いはＲＮＣと他のＳＧＳＮとの間に確立された他のセッションのＭＢＭＳサービスエリアと交叉重複することである場合に、ＲＮＣは、ＭＢＭＳセッション開始メッセージにおけるＭＢＭＳサービスエリアが非合法であると確定し、ＳＧＳＮにＭＢＭＳセッション開始失敗メッセージを返送する。
【００２５】
また、判定結果として、ＲＮＣに同一のＭＢＭＳ業務の既に確立された他のセッションが存在しないである場合、或いは同一のＳＧＳＮの他のセッションのＭＢＭＳサービスエリアと交叉重複又は重複しなく、且つ他のＳＧＳＮの他のセッションのＭＢＭＳサービスエリアと交叉重複しないである場合に、ＲＮＣはＭＢＭＳセッション開始メッセージにおけるＭＢＭＳサービスエリアが合法であると確定し、既存協議に従ってＭＢＭＳセッション開始請求を処理する。
【００２６】
さらに、本発明の一態様に係るＩｕインタフェースに並行するマルチメディアブロードキャスト／マルチキャスト業務のセッション開始の処理装置は、ＲＮＣがＳＧＳＮから始められたＭＢＭＳセッション開始メッセージを受信した後、同一のＭＢＭＳ業務の他のセッションが既に確立されているのか否かを検査するための第１の検査ユニットと、第１の検査ユニットが同一のＭＢＭＳ業務の他のセッションが既に確立されたと検査された場合に、ＭＢＭＳセッション開始メッセージに載せられたＭＢＭＳサービスエリアが、ＲＮＣと同一のＳＧＳＮとの間に既に確立された他のＭＢＭＳセッションのＭＢＭＳサービスエリアと交叉重複又は重複するのか、或いはＲＮＣと他のＳＧＳＮとの間に既に確立されたＭＢＭＳセッションのＭＢＭＳサービスエリアと交叉重複するのかを検査して、検査結果に基づいて対応する操作を行うための第２の検査ユニットと、を有する。
【００２７】
さらに、該処理装置は、第１の検査ユニットが同一のＭＢＭＳ業務の他のセッションが確立されていないと検査された場合に、既存協議に従ってＭＢＭＳセッション開始プロセスを処理して、処理結果に基づいて、ＭＢＭＳセッション開始応答メッセージ、またはＭＢＭＳセッション開始失敗メッセージをＳＧＳＮに返送するための処理応答ユニットを更に有する。
【００２８】
また、該処理装置は、第２の検査ユニットによる検査結果として、ＭＢＭＳセッション開始メッセージに載せられたＭＢＭＳサービスエリアがＲＮＣと同一のＳＧＳＮとの間に既に確立された他のＭＢＭＳセッションのＭＢＭＳサービスエリアと交叉重複又は重複することである場合、或いはＲＮＣと他のＳＧＳＮとの間に既に確立されたＭＢＭＳセッションのＭＢＭＳサービスエリアと交叉重複することである場合に、ＭＢＭＳセッション開始メッセージにおけるＭＢＭＳサービスエリアが非合法であると判定し、ＭＢＭＳセッション開始失敗メッセージをＳＧＳＮに返送するための判定応答ユニットを更に有する。
【００２９】
そして、該処理装置は、第２の検査ユニットによる検査結果として、ＭＢＭＳセッション開始メッセージに載せられたＭＢＭＳサービスエリアがＲＮＣと同一のＳＧＳＮとの間に既に確立された他のＭＢＭＳセッションのＭＢＭＳサービスエリアと交叉重複又は重複されていなく、且つＲＮＣと他のＳＧＳＮとの間に既に確立されたＭＢＭＳセッションのＭＢＭＳサービスエリアと交叉重複されていないである場合に、ＭＢＭＳセッション開始メッセージにおけるＭＢＭＳサービスエリアが合法であると判定し、既存協議に従ってＭＢＭＳセッション開始プロセスを処理し、処理結果に基づいて、ＭＢＭＳセッション開始応答メッセージ、またはＭＢＭＳセッション開始失敗メッセージをＳＧＳＮに返送するための判定応答ユニットをさらに有する。
【００３０】
ＭＢＭＳサービスエリアの交叉重複とは、異なるＭＢＭＳサービスエリアに少なくとも一つの同じセルが含まれると共に、少なくとも一つの異なるセルが含まれることを言う。ＭＢＭＳサービスエリアの重複とは、異なるＭＢＭＳサービスエリアに含まれるセルが完全に同じであることを指す。
【００３１】
本発明の他の特徴及びメリットは明細書にて記載する。また、明細書の記載により更に明確になるか、または本発明を実施することによって更に把握できる。本発明の目的及び他のメリットは、明細書と、特許請求の範囲及び図面にて特別に指摘した構造によって実現・獲得できる。
【図面の簡単な説明】
【００３２】
ここで説明する図面は本発明に対する理解を深めるためのもので、本出願の一部分であって、本発明にて記載した実施例及びその説明は本発明を解釈するためのもので、本発明を不当に限定するものではない。
【図１】は、既存技術におけるＭＢＭＳ業務のシステム構造のモデル図である。
【図２】は、ＭＢＭＳ業務領域とローカル業務領域との関係を示した図である。
【図３】は、既存技術におけるＩｕインタフェースに並行するＭＢＭＳセッション開始のフローチャートである。
【図４】は、本発明に係わるＩｕインタフェースに並行するマルチメディアブロードキャスト／マルチキャスト業務のセッション開始の処理方法のフローチャートである。
【図５】は、本発明に係わるＩｕインタフェースに並行するマルチメディアブロードキャスト／マルチキャスト業務のセッション開始の処理装置のブロック図である。
【発明を実施するための形態】
【００３３】
以下、本発明の好適な実施例について、添付図面を参照して説明する。なおここで説明する好適な実施例は本発明を解釈するためのもので、本発明を限定するためのものではない。
【００３４】
図４は、本発明に係わるＩｕインタフェースに並行するＭＢＭＳセッション開始の処理方法のフローチャートである。図４に示すように、該方法は以下のステップを含む。
【００３５】
ＭＢＭＳセッションが開始され、ＲＮＣは、あるＳＧＳＮのＭＢＭＳサービスエリアが含まれた「ＭＢＭＳセッション開始」メッセージを受信する（ステップＳ４０２）。
【００３６】
ＲＮＣに同一のＭＢＭＳ業務の他のセッションが確立されているか否かを検査し、ＹＥＳであれば、ステップＳ４０６を実行し、ＮＯであれば、ステップＳ４０８を実行する（ステップＳ４０４）。
【００３７】
確立された他のセッションがＲＮＣと同一のＳＧＳＮとの間に確立されている場合に、確立された他のセッションのＭＢＭＳサービスエリアと「ＭＢＭＳセッション開始」メッセージにおけるＭＢＭＳサービスエリアと交叉重複（交互に重なる）又は重複（積み重なる）するのか否かを検査し、確立された他のセッションがＲＮＣと他のＳＧＳＮとの間に確立されている場合に、確立された他のセッションのＭＢＭＳサービスエリアと「ＭＢＭＳセッション開始」メッセージにおけるＭＢＭＳサービスエリアが交叉重複するのか否かを検査し、ＹＥＳであれば、ステップＳ４１０を実行し、ＮＯであれば、ステップＳ４０８を実行する（ステップＳ４０６）。
【００３８】
ＲＮＣは、「ＭＢＭＳセッション開始」メッセージにおけるＭＢＭＳサービスエリアが合法であると判定し、既存協議に従って、ＭＢＭＳセッション開始プロセスに処理をおこなって、処理結果に基づいて、「ＭＢＭＳセッション開始応答」メッセージ、または「ＭＢＭＳセッション開始失敗」メッセージを該ＳＧＳＮに返送する（ステップＳ４０８）。
【００３９】
ＲＮＣは、「ＭＢＭＳセッション開始」メッセージにおけるＭＢＭＳサービスエリアが非合法であると判定し、「ＭＢＭＳセッション開始失敗」メッセージを該ＳＧＳＮに返送する（ステップＳ４１０）。
【００４０】
その中、ＭＢＭＳサービスエリアの交叉重複とは、異なるＭＢＭＳサービスエリアに少なくとも一つの同じセルを含むと共に、少なくとも一つの異なるセルを含むことを言う。ＭＢＭＳサービスエリアの重複とは、異なるＭＢＭＳサービスエリアに含まれる全てのセルが完全に同じであることを言う。
【００４１】
以下、図２及び図４を参照して、本発明に係わるセッション開始プロセスの実施例を詳しく説明する。
【００４２】
該実施例において、ＮＮＳＦがアクティブされ、ＲＮＣ１は同時にＳＧＳＮ１とＳＧＳＮ２を接続した。図２に示すように、あるＭＢＭＳマルチキャスト業務は全国的な交通路面情報を送信していて、業務のマルチキャスト業務エリアは全国の範囲である。業務コンテンツの地域的な特徴によって、該業務のマルチキャスト業務エリアを地理的にＡ、Ｂ、Ｃの三つのローカルマルチキャスト領域に分割し、その中に含まれるセルは交叉重複することなく、各ローカルマルチキャスト領域において、それぞれ対応するローカルマルチキャスト領域に関連する交通路面情報を送信する。即ち、ＵＥは、ローカルマルチキャスト領域Ａ、Ｂ、Ｃにおいて、異なる交通路面情報を受信する可能性がある。該ＭＢＭＳマルチキャスト業務のセッション開始時、ＢＭ−ＳＣはローカルマルチキャスト領域Ａ、Ｂ、Ｃに対してそれぞれ該業務のＭＢＭＳセッション開始を始め、ローカルマルチキャスト領域Ａ、Ｂ、Ｃの境界に位置するＲＮＣ１は同時に三つのローカルマルチキャスト領域に対応するセルを含んでいる。
【００４３】
該実施例において、図４におけるステップは、具体的に以下のとおりである。先ず、説明して置きたいことは、以下で言うステップＳ５０２〜Ｓ５１０は上記のステップＳ４０２〜Ｓ４１０に対応し、その差異は、図２に示す具体的な状況と結びつけたことであって、上記のステップと区別をつけるため、該実施例におけるステップの番号をステップＳ４０２〜Ｓ４１０に対応するステップＳ５０２〜Ｓ５１０にして、それに応じて、図４の各ステップの番号を図面ではＳ４０ｘ／Ｓ５０ｘ（但し、ｘ＝２，４，６，８，１０）の方式で表示された。
【００４４】
ＳＧＳＮ１とＳＧＳＮ２は、ローカルマルチキャスト領域Ａ、Ｂ、Ｃについて、それぞれＲＮＣ１に「ＭＢＭＳセッション開始」メッセージを送信して、セッションＡ１、セッションＢ１、セッションＣ１とセッションＡ２、セッションＢ２、セッションＣ２を夫々確立するようにＲＮＣ１に請求するが、六つの「ＭＢＭＳセッション開始」メッセージに載せられるＴＭＧＩは同じである。即ち、同一のＭＢＭＳ業務に対するものである（ステップＳ５０２）。
【００４５】
ＲＮＣ１は、先ず、ＳＧＳＮ１から始められたＭＢＭＳセッションＡ１の「ＭＢＭＳセッション開始」メッセージを受信して、ＲＮＣ１に同一のＭＢＭＳ業務の他のＭＢＭＳセッションが確立されていないと検査されると、ステップＳ５０８を実行してＳＧＳＮ１との間のＭＢＭＳセッションＡ１を確立する（ステップＳ５０４）。
【００４６】
ＲＮＣ１はＳＧＳＮ１によって始められたＭＢＭＳセッションＢ１の「ＭＢＭＳセッション開始」メッセージを受信した後、ＲＮＣ１が既にＳＧＳＮ１と同一のＭＢＭＳ業務のＭＢＭＳセッションＡ１を確立したか検査し、また、ＲＮＣ１は「ＭＢＭＳセッション開始」メッセージにおけるＭＢＭＳ  ＳＡがＭＢＭＳセッションＡ１のＭＢＭＳ  ＳＡと交叉重複又は重複するのか検査し、ＹＥＳであれば、ステップＳ５１０を実行し、ＮＯであれば、ステップＳ５０８を実行してＳＧＳＮ１との間のＭＢＭＳセッションＢ１を確立し；その後、ＲＮＣ１はＳＧＳＮ２から始められた「ＭＢＭＳセッション開始」メッセージを受信し、ＲＮＣ１がＳＧＳＮ１と同一のＭＢＭＳ業務のＭＢＭＳセッションＡ１とＢ１を確立したかを検査して、「ＭＢＭＳセッション開始」メッセージにおけるＭＢＭＳ  ＳＡがＭＢＭＳセッションＡ１とＢ１のＭＢＭＳ  ＳＡと交叉重複するのか否かも検査して、ＹＥＳであれば、ステップＳ５１０を実行し；ＮＯであって、且つＭＢＭＳセッションＡ１のＭＢＭＳ  ＳＡと重複されると、ステップＳ５０８を実行してＳＧＳＮ２との間のＭＢＭＳセッションＡ２を確立し；ＮＯであって、且つＭＢＭＳセッションＢ１のＭＢＭＳ  ＳＡと重複されると、ステップＳ５０８を実行してＳＧＳＮ２との間のＭＢＭＳセッションＢ２を確立し；ＮＯであって、且つＭＢＭＳセッションＡ１及びＭＢＭＳセッションＢ１のＭＢＭＳ  ＳＡといずれも重複しないと、ステップＳ５０８を実行してＳＧＳＮ２との間のＭＢＭＳセッションＣ２を確立し；その後、続いて受信する他のセッションの「ＭＢＭＳセッション開始」メッセージに対しては、ステップＳ５０４〜Ｓ５０８と同じ原則に従って処理を行う（ステップＳ５０６）。
【００４７】
ＲＮＣ１は、「ＭＢＭＳセッション開始」メッセージにおけるＭＢＭＳサービスエリアが合法であると判定し、ＲＮＣ１は既存協議に従って、ＭＢＭＳセッション開始請求を処理し、処理結果に基づいて、「ＭＢＭＳセッション開始応答」メッセージ、又は「ＭＢＭＳセッション開始失敗」メッセージを該ＳＧＳＮに返送する（ステップＳ５０８）。
【００４８】
ＲＮＣ１は「ＭＢＭＳセッション開始」メッセージにおけるＭＢＭＳサービスエリアが非合法であると判定し、「ＭＢＭＳセッション開始」メッセージを始めたＳＧＳＮに「ＭＢＭＳセッション開始失敗」メッセージを返送する（ステップＳ５１０）。
【００４９】
図５は、本発明に係わるＩｕインターフェースに並行するマルチメディアブロードキャスト／マルチキャスト業務のセッション開始の処理装置のブロック図である。図５に示すように、該処理装置は、ＲＮＣがＳＧＳＮから始められたＭＢＭＳセッション開始メッセージを受信した後、同一のＭＢＭＳ業務の他のセッションが既に確立されているのか否かを検査するための第１の検査ユニット５０２と、第１の検査ユニット５０２によって、同一のＭＢＭＳ業務の他のセッションが既に確立されたと検査された場合に、ＭＢＭＳセッション開始メッセージに載せられたＭＢＭＳサービスエリアが、ＲＮＣと同一のＳＧＳＮとの間に既に確立された他のＭＢＭＳセッションのＭＢＭＳサービスエリアと交叉重複又は重複するのか、或いはＲＮＣと他のＳＧＳＮとの間に既に確立されたＭＢＭＳセッションのＭＢＭＳサービスエリアと交叉重複するのか否かを検査して、検査結果に基づいて対応する操作を行うための第２の検査ユニット５０４と、を有する。
【００５０】
該処理装置は、第１の検査ユニット５０２によって、同一のＭＢＭＳ業務の他のセッションが確立されていないと検査された場合に、既存協議に従って、ＭＢＭＳセッション開始プロセスを処理し、処理結果に基づいて、ＭＢＭＳセッション開始応答メッセージ、またはＭＢＭＳセッション開始失敗メッセージをＳＧＳＮに返送するための処理応答ユニット５０６を更に有する。
【００５１】
この他、該処理装置は、第２の検査ユニット５０４による検査結果として、ＭＢＭＳセッション開始メッセージに載せられたＭＢＭＳサービスエリアがＲＮＣと同一のＳＧＳＮとの間に既に確立された他のＭＢＭＳセッションのＭＢＭＳサービスエリアと交叉重複又は重複する場合、或いはＲＮＣと他のＳＧＳＮとの間に既に確立されたＭＢＭＳセッションのＭＢＭＳサービスエリアと交叉重複することである場合に、ＭＢＭＳセッション開始メッセージにおけるＭＢＭＳサービスエリアが非合法であると判定し、ＭＢＭＳセッション開始失敗メッセージをＳＧＳＮに返送して、第２の検査ユニット５０４による検査結果として、ＭＢＭＳセッション開始メッセージに載せられたＭＢＭＳサービスエリアがＲＮＣと同一のＳＧＳＮとの間に既に確立された他のＭＢＭＳセッションのＭＢＭＳサービスエリアと交叉重複又は重複していなく、且つＲＮＣと他のＳＧＳＮとの間に既に確立されたＭＢＭＳセッションのＭＢＭＳサービスエリアと交叉重複していないことである場合に、ＭＢＭＳセッション開始メッセージにおけるＭＢＭＳサービスエリアが合法であると判定し、既存協議に従ってＭＢＭＳセッション開始プロセスを処理し、処理結果に基づいて、ＭＢＭＳセッション開始応答メッセージ、またはＭＢＭＳセッション開始失敗メッセージをＳＧＳＮに返送するための判定応答ユニット５０８をさらに有する。
【００５２】
ＭＢＭＳサービスエリアの交叉重複とは、異なるＭＢＭＳサービスエリアに少なくとも一つの同じセルが含まれると共に、少なくとも一つの異なるセルが含まれることを言う。重複とは、異なるＭＢＭＳサービスエリアに含まれるセルが完全に同じであることを指す。
【００５３】
総じて言えば、本発明によると、既存協議に存在する問題を解決することができ、ＣＤＭＡシステムにおいて、Ｉｕインターフェースに並行するＭＢＭＳセッション開始に対して処理を行うことができる。
【００５４】
上記の内容は本発明の好適な実施例にすぎなく、本発明を限定するためのものではない。当業者であれば、本発明に様様な変更と変化を実施することができる。本発明の精神及び原則の範囲内で行う補正、等同交換、改良などはすべて本願が保護しようとする範囲内に属する。
【図１】
2010525692.tif 000003
【図２】
2010525692.tif 000004
【図３】
2010525692.tif 000005
【図４】
2010525692.tif 000006
【図５】
2010525692.tif 000007
【国際調査報告】
2010525692.tif 000008
2010525692.tif 000009
2010525692.tif 000010
2010525692.tif 000011